(57)【要約】【課題】  トイレ設備における相互汚染を阻止するよう使用できる比較的簡単な衛生用器具の提供。【解決手段】  衛生用器具２１０が提供される。衛生用器具２１０は、本体と、本体に設けられていて、本体を便器３１０の便器作動装置３１２に取り付ける取付け手段とを有している。本体には材料の薄片のスタックが設けられ、かかる材料薄片は、ユーザが便器作動装置３１２を作動させることができるように選択的に取り去り可能であり、便器作動装置３１２を作動させるには、スタックから最も上に位置する薄片を取り去ってその下に位置する材料薄片を露出させ、次にこの下側材料薄片を押し、それにより便器作動装置３１２を作動させる。このようにすると、ユーザは、先に触られた表面に触る仕方で便器作動装置３１２に触る必要無く、便器作動装置３１２を作動させることができる。【選択図】図１
2009525422.tif 000002
【特許請求の範囲】
【請求項１】
衛生用器具であって、
本体と、
前記本体に設けられていて、前記本体を便器作動装置に取り付ける取付け手段と、
前記本体に設けられた材料の薄片のスタックとを有し、前記材料薄片のスタックは、各々が、残りの前記スタックから取り去り可能な複数の材料薄片から成り、ユーザは、使用にあたり、前記本体を前記便器作動装置に取り付けると、最も上に位置する材料薄片を前記スタックから取り去って下に位置する材料薄片を露出させ、次に、前記下側材料薄片を押して前記便器作動装置を作動させることにより、便器作動装置を作動させることができる、衛生用器具。
【請求項２】
前記スタックの前記材料薄片は、互いに取り外し可能に取り付けられている、請求項１記載の衛生用器具。
【請求項３】
前記スタックの前記材料薄片は、接着剤によって互いに取り外し可能に取り付けられている、請求項２記載の衛生用器具。
【請求項４】
前記複数の材料薄片の各々は、フィンガータブを備え、前記材料薄片を前記フィンガータブによって選択的に互いに取り外すことができる、請求項１〜３のうちいずれか一に記載の衛生用器具。
【請求項５】
最も上に位置する材料薄片が先に触られたかどうかを表示するよう構成された表示手段を更に有する、請求項１〜４のうちいずれか一に記載の衛生用器具。
【請求項６】
前記表示手段は、前記材料薄片の各々に設けられた物質の形態をしており、前記物質は、触られたことに応答して目で見て分かる変化を行うよう構成されており、使用にあたり、最も上に位置する材料薄片が先に触られたかどうかがユーザに目で見て分かる、請求項５記載の衛生用器具。
【請求項７】
前記物質は、触られたことに応答して色の変化の形態の目で見て分かる変化を行うよう構成されている、請求項６記載の衛生用器具。
【請求項８】
前記物質は、ユーザの皮膚と接触して化学変化を起こすよう構成されている、請求項６又は７記載の衛生用器具。
【請求項９】
前記表示手段は、前記複数の材料薄片の各々に存在する領域によって構成されている、請求項５〜８のうちいずれか一に記載の衛生用器具。
【請求項１０】
前記材料薄片の各々は、紙を主成分とする材料の形態をしている、請求項１〜９のうちいずれか一に記載の衛生用器具。
【請求項１１】
前記本体は、最も下に位置する材料薄片によって構成され、前記取付け手段は、前記最も下に位置する材料薄片を前記便器作動装置に接着できるよう前記最も下に位置する材料薄片に施された接着剤の形態をしている、請求項１〜１０のうちいずれか一に記載の衛生用器具。
【請求項１２】
前記本体は、前記材料薄片のスタックを取り外し可能に保持するよう構成されたハウジングによって構成され、使用中、前記スタックの前記材料薄片が無くなると、材料薄片の新たなスタックを前記ハウジングに取り付けることにより前記材料薄片のスタックを補充できる、請求項１〜１０のうちいずれか一に記載の衛生用器具。
【請求項１３】
前記取付け手段は、前記ハウジングを前記便器作動装置に接着できるよう前記ハウジングに施された接着剤によって構成されている、請求項１２記載の衛生用器具。
【請求項１４】
前記取付け手段は、前記ハウジングに設けられた少なくとも１つの取付け形成体によって構成され、前記ハウジングを前記取付け形成体によって前記便器作動装置に取り付けることができる、請求項１２記載の衛生用器具。
【請求項１５】
便器作動装置に衛生用器具を設ける方法であって、
本体及び前記本体に取り付けられた材料の薄片のスタックを有する衛生用器具を用意するステップと、
前記衛生用器具の前記本体を便器作動装置に取り付けて前記材料薄片のスタックは、ユーザが最も上に位置する材料薄片を前記材料薄片のスタックから取り去って下に位置する材料薄片を露出させ、次に、前記下側材料薄片を押して前記便器作動装置を作動させることにより、便器作動装置を作動させることができるように構成されている、方法。
【請求項１６】
本体及び前記本体に取り付けられた材料薄片のスタックを有する衛生用器具を用意する前記ステップは、前記材料薄片の各々がフィンガータブを備え、前記材料薄片を前記フィンガータブによって選択的に互いに取り外すことができるような衛生用器具を用意するステップを含む、請求項１５記載の便器作動装置に衛生用器具を設ける方法。
【請求項１７】
本体及び前記本体に取り付けられた材料薄片のスタックを有する衛生用器具を用意する前記ステップは、最も上に位置する材料薄片が先に触られたかどうかを表示するよう構成された表示手段を備えた衛生用器具を用意するステップを含む、請求項１５又は１６記載の便器作動装置に衛生用器具を設ける方法。
【請求項１８】
最も上に位置する材料薄片が先に触られたかどうかを表示するよう構成された表示手段を備えた衛生用器具を用意するステップは、前記材料薄片の各々に施された物質を有する衛生用器具を用意するステップを含み、前記物質は、最も上に位置する材料薄片が先に触られたかどうかがユーザに目で見て分かるよう触られたことに応答して目で見て分かる変化を行うよう構成されている、請求項１７記載の便器作動装置に衛生用器具を設ける方法。
【請求項１９】
前記衛生用器具は、前記本体に設けられた接着剤層を有し、この場合、便器作動装置に前記衛生用器具の前記本体を取り付ける前記ステップは、前記便器作動装置に前記衛生用器具の前記本体を接着するステップを含む、請求項１５〜１８のうちいずれか一に記載の便器作動装置に衛生用器具を設ける方法。
【発明の詳細な説明】
【技術分野】
【０００１】
本発明は、衛生用器具又は表示器に関する。特に、本発明は、ユーザが既に別のユーザにより触られた可能性のある便器作動装置の表面に触る必要なく、便器作動装置を作動させることができるように便器作動装置に取付け可能な衛生用器具に関する。
【背景技術】
【０００２】
多くの人々は、衛生ということを意識している。かかる人々は、公衆トイレ設備を使用することを大いに懸念している場合がある。というのは、かかる公衆トイレ設備の便器作動装置に触った際に相互汚染という危険がつきまとうからである。
【０００３】
本明細書の目的上、「便器作動装置」という用語は、例えば、公衆トイレ設備、洗面所等に通常見受けられる形式のどの作動装置も含むものと解されるべきである。かかる作動装置は、例えば便器や男性用小便器等のフラッシングシステム、例えば水栓又は蛇口を作動させるフラッシングアクチュエータ、ドアの取っ手、自動手乾燥機構体のアクチュエータ等を含む。
【０００４】
非衛生的な物質、例えば種々の病原体等が、公共施設場所の種々の表面上に存在している場合が多いということが判明している。或る特定の組織体、特に、例えば食品調製、食品生産、健康管理の提供に関与した仕事並びに研究所、病院、実験室、診療所等の場合、かかる物質の相互汚染は、阻止されるべきである。現在かかる相互汚染を阻止するために用いられている方法としては、注意深いクリーニングスケジュール、洗浄剤、例えば石鹸中への有効物質（例えば、Phenol（商標登録）又はVirkon（登録商標））及び（又は）受動的物質（例えば、エタノール）の添加、水栓を手動操作する必要なく（自動的に作動されるか手を使わないで作動されるかのいずれかの）開け閉めできる操作可能な水栓の提供等が挙げられる。
【０００５】
本発明の目的は、例えば公衆トイレ設備における相互汚染を阻止するよう使用できる比較的簡単な衛生用器具を提供することにある。
【発明の開示】
【０００６】
本発明の第１の観点によれば、衛生用器具であって、本体と、本体に設けられていて、本体を便器作動装置に取り付ける取付け手段と、本体に設けられた材料の薄片のスタックとを有し、材料薄片のスタックは、各々がスタックの残部から取り去り可能な複数の材料薄片から成り、ユーザは、使用にあたり、本体を便器作動装置に取り付けると、最も上に位置する材料薄片をスタックから取り去って下に位置する材料薄片を露出させ、次に、下側材料薄片を押して便器作動装置を作動させることにより、便器作動装置を作動させることができることを特徴とする衛生用器具が提供される。
【０００７】
スタックの材料薄片は、互いに取り外し可能に取り付けられるのが良い。
スタックの材料薄片は、接着剤によって互いに取り外し可能に取り付けられるのが良い。
複数の材料薄片の各々は、フィンガータブを備えるのが良く、材料薄片をフィンガータブによって選択的に互いに取り外すことができる。
【０００８】
衛生用器具は、最も上に位置する材料薄片が先に触られたかどうかを表示するよう構成された表示手段を更に有するのが良い。
表示手段は、材料薄片の各々に設けられた物質の形態をしているのが良く、物質は、触られたことに応答して目で見て分かる変化を行うよう構成されており、使用にあたり、最も上に位置する材料薄片が先に触られたかどうかがユーザに目で見て分かる。
【０００９】
物質は、触られたことに応答して色の変化の形態の目で見て分かる変化を行うよう構成されているのが良い。
物質は、ユーザの皮膚と接触して化学変化を起こすよう構成されているのが良い。
表示手段は、複数の材料薄片の各々に存在する領域によって構成されているのが良い。
材料薄片の各々は、紙を主成分とする材料の形態をしているのが良い。
【００１０】
一実施形態では、本体は、最も下に位置する材料薄片によって構成されるのが良い。この場合、取付け手段は、最も下に位置する材料薄片を便器作動装置に接着できるよう最も下に位置する材料薄片に施された接着剤の形態をしているのが良い。
別の実施形態では、本体は、材料薄片のスタックを取り外し可能に保持するよう構成されたハウジングによって構成されるのが良く、使用中、スタックの材料薄片が無くなると、材料薄片の新たなスタックをハウジングに取り付けることにより材料薄片のスタックを補充できる。
【００１１】
取付け手段は、ハウジングを便器作動装置に接着できるようハウジングに施された接着剤によって構成されるのが良い。
取付け手段は、ハウジングに設けられた少なくとも１つの取付け形成体によって構成されるのが良く、ハウジングを取付け形成体によって便器作動装置に取り付けることができる。
【００１２】
本発明の別の観点によれば、便器作動装置に衛生用器具を設ける方法であって、本体及び本体に取り付けられた材料の薄片のスタックを有する衛生用器具を用意するステップと、衛生用器具の本体を便器作動装置に取り付けて材料薄片のスタックは、ユーザが最も上に位置する材料薄片を材料薄片のスタックから取り去って下に位置する材料薄片を露出させ、次に、下側材料薄片を押して便器作動装置を作動させることにより、便器作動装置を作動させることができるように構成されていることを特徴とする方法が提供される。
【００１３】
本体及び本体に取り付けられた材料薄片のスタックを有する衛生用器具を用意するステップは、材料薄片の各々がフィンガータブを備え、材料薄片をフィンガータブによって選択的に互いに取り外すことができるような衛生用器具を用意するステップを含むのが良い。
本体及び本体に取り付けられた材料薄片のスタックを有する衛生用器具を用意するステップは、最も上に位置する材料薄片が先に触られたかどうかを表示するよう構成された表示手段を備えた衛生用器具を用意するステップを含むのが良い。
【００１４】
最も上に位置する材料薄片が先に触られたかどうかを表示するよう構成された表示手段を備えた衛生用器具を用意するステップは、材料薄片の各々に施された物質を有する衛生用器具を用意するステップを含むのが良く、物質は、最も上に位置する材料薄片が先に触られたかどうかがユーザに目で見て分かるよう触られたことに応答して目で見て分かる変化を行うよう構成されている。
衛生用器具は、本体に設けられた接着剤層を有するのが良く、この場合、便器作動装置に衛生用器具の本体を取り付けるステップは、便器作動装置に衛生用器具の本体を接着するステップを含む。
【００１５】
本発明の別の特徴によれば、便器作動装置に取り付けられるよう構成された本体と、本体に設けられていて、ユーザが先に触られた表面に触る仕方で便器作動装置に触る必要なく、便器作動装置をユーザによって作動させることができるよう構成された手段とを有する衛生用器具が提供される。
【００１６】
本体は、本体を便器作動装置に取り付けると、本体を押すことにより、便器作動装置を作動させることができるよう構成されているのが良い。
本体は、本体を便器作動装置に取り付けると、本体を押すことにより便器作動装置を作動させることができるよう構成されているのが良い。
【００１７】
本体は、次々に上に配置された複数の層を構成するのが良く、本体の最も上の層の露出面を押すことにより便器作動装置を作動させることができるようになっている。層は、最も上の層を選択的に取り去って下の層の表面を露出させることができるよう互いに取り外し可能に取り付けられているのが良く、最も上の層を取り去った後、本体の下側の層の露出面を押すことにより便器作動装置を作動させることができるようになっている。
【００１８】
各層は、フィンガータブを備えるのが良く、層をフィンガータブによって引き剥がし方式で互いに選択的に取り外すことができる。
衛生用器具は、本体に設けられていて、本体が先に触られたかどうかを表示するよう構成された表示手段を更に有するのが良い。
【００１９】
表示手段は、層上に位置していて、本体が先に触られたかどうかがユーザに分かるように触られたことに応答して検出可能な変化を行うよう構成された領域によって構成されるのが良い。
表示手段は、各層の各表面上に施された物質の形態をしているのが良く、この物質は、本体が先に触られたかどうかが分かるようユーザの皮膚と接触して化学変化を起こすよう構成されている。
【００２０】
層上の領域は、本体が先に触られたかどうかがユーザにとって目で見て分かるようにするよう触れられたことに応答して色の変化の形態の検出可能な変化を起こすよう構成されているのが良い。
衛生用器具は、本体を便器作動装置に取り付けることができるよう構成された取付け手段を有するのが良い。
取付け手段は、本体を便器作動装置に接着できるよう最も下の層の接着表面の形態をしているのが良い。
【００２１】
衛生用器具は、その代わりとして、便器作動装置に取付け可能なハウジング又は支持体を有しても良く、ハウジング又は支持体は、層の本体をこれに取り付けることができるよう構成されており、層のうちの最後が取り去られると、層から成る新たな本体をハウジング又は支持体に取り付けることができるようになっている。
【発明を実施するための最良の形態】
【００２２】
次に、添付の図面を参照して本発明の実施形態を例示的に説明する。
【００２３】
図面の図１及び図２を参照すると、本発明の一実施形態としての衛生用器具が、全体を参照符号１０で示されている。
【００２４】
衛生用器具１０は、全体が参照符号１２で示された本体を有している。本体１２は、例えば男性用小便器又は便器等のフラッシングシステムを作動させるために用いられることが多い種類の指押し可能なボタンの形態をした便器作動装置に取り付けられるよう構成されている。図１に示す実施形態では、衛生用器具１０は、本体１２に設けられていて、本体１２を便器作動装置に接着する接着剤層の形態をした取付け手段１３を有する。
【００２５】
衛生用器具１０は、以下に詳細に説明するように、本体１２に取り付けられていて、ユーザが先に触られた表面に触る仕方で便器作動装置に触る必要なく、便器作動装置をユーザによって作動させることができるよう構成された全体が参照符号１４で示されている手段を更に有する。
【００２６】
手段１４は、本体１２に取り付けられ又は被着されていて、全体が参照符号１６で示された複数の層又は材料の薄片のスタックを含む。材料薄片１６は、使用にあたり、最も上に位置する薄片又は層１６．１又は最も上に位置する薄片又は層１６．１の露出面１６．２を押すことにより便器作動装置を作動させることができるように次々に上に配置されている。薄片１６は、最も上の薄片１６．１を取り去って下に位置する薄片１６．３の表面を露出させることができるよう互いに取り外し可能に取り付けられており、最も上の薄片１６．１を取り去った後、下側の薄片１６．３の露出面を押すことにより便器作動装置を作動させることができるようになっている。
【００２７】
有利には、各薄片１６は、フィンガータブ２０を備えており、薄片１６をフィンガータブによって引き剥がし方式で互いに選択的に取り外すことができる。
【００２８】
代表的には、衛生用器具１０は、薄片１６に設けられていて、全体が参照符号１８で示された表示手段を更に有する。表示手段１８は、最も上の薄片１６の表面が先に触られたかどうかを表示するよう構成されている。表示手段１８は、薄片１６に存在する領域１８．１によって構成され、この領域１８．１は、最も上の薄片１６の表面が先に触られたかどうかがユーザに分かるよう触られたことに応答して検出可能な変化を起こすよう構成されている。代表的には、表示手段１８は、薄片又は各層１６の表面上に施された物質の形態をしている。物質は、最も上の薄片１６が先に触られたかどうかが分かるようユーザの皮膚と接触して化学反応を起こすよう構成されている。有利には、薄片１６上の領域１８．１は、最も上の薄片１６が先に触られたかどうかがユーザに分かるように触られたことに反応して色の変化の形態の検出可能な変化を起こすよう構成されている。したがって、領域１８．１は、例えばリトマス紙に類似した仕方で化学反応を起こすのが良い。領域１８．１は、薄片１６上の別々の領域に限定される必要はないということは理解されよう。これとは異なり、薄片１６それ自体が、本来的に、これのどこかが触られると、化学反応を起こすよう構成された形態のものであって良い。
【００２９】
一実施形態では、表示手段１８は、透明な接着剤層を含む。透明な接着剤層は、例えば透明なセルロイド又はポリエチレン層を含むのが良い。かかる接着剤層に触ると、接着剤層は、皮膚の１つ又は２つ以上の小さな再生可能な要素、代表的には、取れやすい皮膚細胞、例えば角質及び（又は）皮膚の脂及び（又は）汗及び（又は）汚れ等を剥ぎ取って皮膚を部分的に不透明にし又は汚れ若しくは傷付いた状態等にする。このようにすると、スタック１６の最も上の材料薄片が先に触られたかどうかの目に見える表示をユーザに与えることができる。
【００３０】
目に見える表示を促進するため、希釈した量のスーダンブラック、クリスタルバイオレット、黒鉛又は着色粉末を接着剤層に塗布するのが良い。このようにすると、触られたことによって生じる汚れを例えば皮膚のアミノ酸と化学反応を起こした際に明確に目に見えるようにすることができる。
【００３１】
本発明の別の実施形態では、材料薄片１６は、例えば紙を主成分とするものであるのが良く、材料薄片１６に表示手段１８を含浸させる。この場合、表示手段１８は、人の皮膚と化学反応を起こすよう構成された物質又は化学薬品を含むのが良い。表示手段１８は、例えば人の皮膚上に存在するアミノ酸と化学反応を起こすよう構成されているのが良い。かかる物質は、例えば、５−ＭＴＮであるのが良い。かかる物質は、１５％５−ＭＴＮの使用液に由来するのが良い。かかる作業液の追加の成分は、例えば、１０ｍｌの酢酸、２５ｍｌのイソプロパノール、１４５ｍｌのエチルアセテート、１００ｍｌのＭＴＢＥ（メチル−ｔ−ブチルエーテル）、及び７２０ｍｌの石油エーテル等であるのが良い。この場合、溶剤が蒸発するまで材料薄片１６に使用液を含浸させるのが良い。代表的には、かかる表示手段１８は、皮膚との接触時に紫色に変色する。
【００３２】
表示手段１８が、人の皮膚と接触して化学反応を起こす非毒性物質又は化学薬品等を含むことができるということが想定される。この物質は、例えば、皮膚上に見受けられるアミノ酸、天然油、水分又は皮膚上に見受けられる任意他の適当な物質等と接触して化学反応を起こすよう構成されているのが良い。代表的には、物質は、比較的圧力の影響を受けずしかも温度の影響を受けないものであるのが良い。物質は、薄片１６又は薄片１６の明確にマーク付けされた領域１８．１を含浸するよう構成されているのが良い。
【００３３】
衛生用器具１０は、本体１２を便器作動装置に取り付けることができるよう構成された取付け手段を有する。図１及び図２の実施形態では、本体１２は、最も下の層又は薄片１６．４の形態をしており、取付け手段１３は、本体１２を便器作動装置に接着することができるよう最も下の層又は薄片１６．４に被着された接着剤裏面又は層の形態をしている。他の実施形態では、以下に詳細に説明するように、本体は、便器作動装置に取付け可能なハウジング又は支持体の形態をしているのが良い。ハウジング又は支持体は、材料薄片の新たなスタックをこれに取り付けることができるよう構成されているのが良く、したがって、材料薄片のスタックのうちの最後のものが取り去られると、薄片の新たなスタック又は補充品をハウジング又は支持体に取り付けることができるようになっている。有利には、この場合、取付け手段は、ハウジング又は支持体上に設けられるのが良い。この場合、ハウジング又は支持体は、これが取り付けられるべき便器作動装置を跨ぐよう構成された形状のものであるのが良い。
【００３４】
同一の符号が類似した部品又は特徴部を示すよう用いられた図面の図３を参照すると、特に断らない限り、本発明の別の実施形態としての別の衛生用器具が、全体を参照符号１１０で示されている。衛生用器具１１０は、衛生用器具１１０のフィンガータブ１２０が異なる形状のものであることを除き、衛生用器具１０とほぼ同じである。
【００３５】
次に、同一の符号が類似した部品又は特徴部を示すよう用いられた図面の図４を参照すると、特に断らない限り、本発明の別の実施形態としての別の衛生用器具が、全体が参照符号２１０で示されている。理解されるように、衛生用器具２１０は、全体として衛生用器具１０の仕方とほぼ同じ仕方で機能する。衛生用器具２１０は、衛生用器具１０の本体１２及び材料薄片のスタック１６の各形状とは異なる形状の本体及び材料薄片のスタック２１２を備えている。本体及び材料薄片のスタック２１２は、例えば、便器のフラッシングシステムを作動させるよう用いられる場合が多い種類の押圧可能なレバー、便所のドア取っ手、トイレ設備に通じるドアのドア取っ手等の形態をした便器作動装置に取り付けられるよう構成された形状のものである。したがって、本体及び材料薄片のスタック２１２は、細長い。
【００３６】
衛生用器具２１０の薄片の各々は、破線で示すようにフィンガータブ２２０を備えるのが良い。これに代えて又は追加的に、衛生用器具２１０の材料薄片が、破線２２８の右側に示されているように符号２２６のところにフィンガータブを構成するよう相互に除去される衛生用器具２１０の端領域２２４を設けるのが良い。
【００３７】
理解されるように、本発明の衛生用器具は、これが取り付けられるべき便器作動装置の形状及び通常の接触領域で決まる任意適当な形状のものであって良い。さらに理解されるように、本発明は、上述した衛生用器具に類似しているが、例えば、水栓又は蛇口若しくはハンドドライヤの作動装置等に取り付けられるよう構成された形状を有する衛生用器具に及ぶ。
【００３８】
同一の符号が類似した部品又は特徴部を示すよう用いられた図面の図５を参照すると、特に断らない限り、衛生用器具２１０は、便器３１０の便器作動装置３１２に取り付けられた使用状態で示されている。便器作動装置３１２は、便器３１０のフラッシングシステムを選択的に作動させる作動レバーの形態をしている。
【００３９】
同一の符号が類似した部品又は特徴部を示すよう用いられた図面の図６を参照すると、特に断らない限り、衛生用器具１１０は、男性用小便器４１０の便器作動装置４１２に取り付けられた使用状態で示されている。便器作動装置４１２は、便器４１０のフラッシングシステムを選択的に作動させる作動ボタンの形態をしている。
【００４０】
同一の符号が類似した部品又は特徴部を示すよう用いられた図面の図７を参照すると、特に断らない限り、衛生用器具２１０に類似した衛生用器具５１０が、ドア５１４の便器作動装置５１２に取り付けられた作動条件で示されている。便器作動装置５１２は、ドア５１４を開くようドア５１４のロック機構体を選択的に作動させる作動ノブの形態をしている。ドア５１４は、沐浴ブロック又はトイレ設備の個室のドアであっても良く、或いは、例えば沐浴ブロック又はトイレ設備に通じるドアの形態をしていても良い。代表的には、衛生用器具５１０は、衛生用器具５１０がノブ５１２を使用中に作動させると、通常ユーザが触るノブ５１２の領域の比較的広い部分にわたって向かって延びるよう長い長さを有することを除き、衛生用器具２１０とほぼ同じである。
【００４１】
同一の符号が類似した部品又は特徴部を示すよう用いられた図面の図８を参照すると、特に断らない限り、衛生用器具２１０は、ドア６１０の便器作動装置６１２に取り付けられた使用状態で示されている。便器作動装置６１２は、ドア６１４を開けるようドア６１４のロック機構体を選択的に作動させる作動取っ手又はレバーの形態をしている。
【００４２】
使用にあたり、衛生用器具１０，１１０，２１０，５１０を関連の便器作動装置に接着することにより衛生用器具１０，１１０，２１０，５１０を関連の便器作動装置に取り付ける。次に、ユーザが便器作動装置を作動したいと思った場合、ユーザは、最も上の薄片を衛生用器具１０，１１０，２１０，５１０の残部から取り外して先に触られていない下の薄片の表面を露出させるのが良い。薄片は、代表的には、最も上の薄片をいったん取り去ると、これが一般的には捨てられるよう使い捨てである。次に、ユーザは、下の薄片の新たに露出した表面を押すことにより便器作動装置を作動させることができる。このようにすると、ユーザは、先に触られた表面に触らない仕方で便器作動装置を作動させることができる。有利には、表示手段１８，２１８を吟味することにより便器作動装置が先に作動されたかどうかがユーザに分かる。表示手段１８，２１８によって本体１２，１１２，２１２上の最も上の薄片の表面が先に触られていないことが分かると、ユーザは、最も上の薄片を取り去る必要はなく、ユーザは、先に触られた表面に触る必要なく、便器作動装置を作動させることができる。このようにすると、便器作動装置の作動による相互汚染を少なくとも軽減することができる。
【００４３】
同一の符号が類似した部品又は特徴部を示すよう用いられた図面の図９を参照すると、特に断らない限り、本発明の別の実施形態としての別の衛生用器具が、全体を参照符号７１０で示されている。
【００４４】
衛生用器具７１０は、本体７１２及び材料薄片のスタック７１６を有している。本体７１２は、裏面７１３を備えている。裏面７１３は、本体７１２を作動ボタン７１４の形態をした便器作動装置に取り付ける取付け手段７１８を有する。作動ボタン７１４は、例えば便器又は男性用小便器等のフラッシングシステムを作動させるよう構成されたボタンであるのが良い。取付け手段７１８は、本体７１２を矢印Ａで指示するように作動ボタン７１４に接着できるよう構成された接着剤層の形態をしている。
【００４５】
本体７１２は、材料の薄片のスタックを矢印Ｂで指示するように保持するよう構成されたハウジングの形態をしている。この目的のため、本体７１２は、保持コンパートメント７２０を備える。
【００４６】
材料の薄片のスタック７１６は、複数の材料薄片から成る。一実施形態では、各材料薄片は、上述した表示手段１８と類似した表示手段を備える。別の実施形態では、表示手段は、材料薄片上に存在しない。材料薄片は、互いに取れやすいものであるのが良い。これとは異なり、材料薄片は、ユーザが引き剥がしの仕方で１枚の薄片を別の薄片から選択的に取り去ることができるよう構成された接着剤によって互いに取り外し可能に取り付けられても良い。有利には、材料薄片のスタック７１６の各材料薄片は、フィンガータブ７１６．１を備え、ユーザは、最も上の材料薄片のフィンガータブ７１６．１を摘むことにより最も上の材料薄片を材料薄片のスタック７１６から選択的に取り去ることができるようになっている。
【００４７】
理解されるように、使用にあたり、本体７１２を作動ボタン７１４に取り付け、材料薄片のスタック７１６を本体７１２のコンパートメント７２０内に保持すると、ユーザは、最も上の材料薄片をスタック７１６及びコンパートメント７２０から取り去って下の材料薄片を露出させ、次にこの下側材料薄片を押して便器作動装置７１４を作動させることにより作動ボタン７１４を作動させることができる。このようにすると、ユーザが先に触られた表面に触る必要なく、作動ボタン７１４を作動させることができる。
【００４８】
同一の符号が類似した部品又は特徴部を示すよう用いられた図面の図１０を参照すると、特に断らない限り、本発明の別の実施形態としての別の衛生用器具が、全体を参照符号８１０で示されている。
【００４９】
衛生用器具８１０は、本体８１２及び材料薄片のスタック８１６を有している。本体８１２は、裏面８１３を備えている。裏面８１３は、本体８１２を作動取っ手又はレバー８１４の形態をした便器作動装置に取り付ける取付け手段８１８を有する。作動レバー８１４は、例えば便器又は男性用小便器のフラッシングシステム、沐浴ブロックの個室のドアの取っ手又はレバー、沐浴ブロックに通じるドアの取っ手等を作動させるよう構成されたレバーであるのが良い。取付け手段８１８は、本体８１２を矢印Ｃで指示するように作動レバー８１４に接着できるよう構成された接着剤層の形態をしている。
【００５０】
本体８１２は、材料の薄片のスタックを矢印Ｄで指示するように保持するよう構成されたハウジングの形態をしている。この目的のため、本体８１２は、保持コンパートメント８２０を備える。
【００５１】
材料の薄片のスタック８１６は、複数の材料薄片から成る。一実施形態では、各材料薄片は、上述したような表示手段１８と類似した表示手段を備える。別の実施形態では、表示手段は、材料薄片上に存在しない。材料薄片は、互いに取れやすいものであるのが良い。これとは異なり、材料薄片は、ユーザが引き剥がし方式で１枚の薄片を別の薄片から選択的に取り去ることができるよう構成された接着剤によって互いに取り外し可能に取り付けられても良い。有利には、材料薄片のスタック８１６の各材料薄片は、フィンガータブ８１６．１を備え、ユーザは、最も上の材料薄片のフィンガータブ８１６．１を摘むことにより最も上の材料薄片を材料薄片のスタック８１６から選択的に取り去ることができるようになっている。
【００５２】
理解されるように、使用にあたり、本体８１２を作動レバー８１４に取り付け、材料薄片のスタック８１６を本体８１２のコンパートメント８２０内に保持すると、ユーザは、最も上の材料薄片をスタック８１６及びコンパートメント８２０から取り去って下の材料薄片を露出させ、次にこの下側材料薄片を押して便器作動装置８１４を作動させることにより作動レバー８１４を作動させることができる。このようにすると、ユーザが先に触られた表面に触る必要なく、作動レバー８１４を作動させることができる。
【００５３】
同一の符号が類似した部品又は特徴部を示すよう用いられた図面の図１１を参照すると、特に断らない限り、本発明の別の実施形態としての別の衛生用器具が、全体を参照符号９１０で示されている。
【００５４】
衛生用器具９１０は、本体９１２及び材料薄片のスタック９１６を有している。本体９１２は、本体９１２が接着剤層ではなく、その裏面に設けられた取付け形成体９２０の形態をした取付け手段を備えていることを除き、衛生用器具８１０の本体８１２とほぼ同じである。取付け形成体９２０は、矢印Ｅで指示するように作動取っ手又はレバー９１４の形態をした便器作動装置を受け入れるよう構成された通路９２２を備えている。作動レバー９１４は、例えば便器又は男性用小便器のフラッシングシステム、沐浴ブロックの個室のドアの取っ手又はレバー、沐浴ブロックに通じるドアの取っ手等を作動させるよう構成されたレバーであるのが良い。レバー９１４が通路９２２内に受け入れられると、レバー９１４を通路９２２内に取り外し可能に保持するよう適当な締結具、例えばねじ部品を用いるのが良い。材料薄片のスタック９１６が材料薄片のスタック８１６に類似していることが理解されよう。
【００５５】
図面の図９、図１０及び図１１に示されていて、これらの図を参照して説明した衛生用器具の実施形態では、材料薄片のスタックが使い尽くされると、材料薄片のスタックを新たな材料薄片スタックで補充するのが良い。
【００５６】
本発明の一実施形態では、上述の材料薄片は、紙を主成分とする材料のものである。しかしながら、理解されるように、これに代えて、任意適当な材料、例えばプラスチック材料の層等を用いることができる。
本発明の衛生用器具は、少なくとも相互汚染を阻止する「使用上の障害」を提供する比較的安価な手段となっていると考えられる。有利には、衛生用器具は、これが取り付けられた便器作動装置が先に触られたかどうかが分かるよう構成されている。最も上の薄片又は層を取り去ることにより、ユーザは、便器作動装置それ自体に触る必要なく、便器作動装置を作動させることができる。
【図面の簡単な説明】
【００５７】
【図１】本発明の一実施形態としての衛生用器具の概略立体図である。
【図２】図１の衛生用器具の概略平面図である。
【図３】本発明の別の実施形態としての別の衛生用器具の概略平面図である。
【図４】本発明の別の実施形態としての更に別の衛生用器具の概略平面図である。
【図５】図４に示す衛生用器具に類似した衛生用器具を有する便器の概略正面図であり、衛生用器具が便器の作動装置に取り付けられている状態を示す図である。
【図６】図３に示す衛生用器具に類似した衛生用器具を有する小便器の概略正面図であり、衛生用器具が、小便器の作動装置に取り付けられている状態を示す図である。
【図７】トイレ設備のドアの概略正面図であり、ドアが、図４に示す衛生用器具に類似した衛生用器具がドアのドアノブの形態をした作動装置に取り付けられている状態を示す図である。
【図８】トイレ設備のドアの概略正面図であり、図４に示す衛生用器具に類似した衛生用器具がドアのドア取っ手の形態をした作動装置に取り付けられている状態を示す図である。
【図９】作動ボタンの形態をした便器作動装置に取り付けられている本発明の別の実施形態としての衛生用器具の概略立体図である。
【図１０】作動レバーの形態をした便器作動装置に取り付けられている本発明の別の実施形態としての衛生用器具の概略立体図である。
【図１１】作動レバーの形態をした便器作動装置に取り付けられている作動レバーの形態をしている便器作動装置に取り付けられている本発明の更に別の実施形態としての衛生用器具の概略立体図である。
【図１】
2009525422.tif 000003
【図２】
2009525422.tif 000004
【図３】
2009525422.tif 000005
【図４】
2009525422.tif 000006
【図５】
2009525422.tif 000007
【図６】
2009525422.tif 000008
【図７】
2009525422.tif 000009
【図８】
2009525422.tif 000010
【図９】
2009525422.tif 000011
【図１０】
2009525422.tif 000012
【図１１】
2009525422.tif 000013
【国際調査報告】
2009525422.tif 000014
2009525422.tif 000015
2009525422.tif 000016
2009525422.tif 000017
2009525422.tif 000018